(57)【要約】【課題】ワイヤハーネスがケース内を通り抜ける電気接続箱において、ワイヤハーネスがあばれることを防止でき、かつ、ケースの強度アップを図ることができる電気接続箱を提供する。【解決手段】電気接続箱のケースは、電子部品が収容される合成樹脂製の本体ケースと、本体ケースの上面側に組み付けられるアッパカバーと、本体ケースの下面側に組み付けられるロアカバー２と、で構成されている。ロアカバー２は、浅い箱状に形成されており、周壁２１の二箇所にはワイヤハーネス５を通すための切り欠き部２２が設けられている。ロアカバー２の内側には、ワイヤハーネス５の配索経路を規制するための凸部３が複数設けられている。これら凸部３は、ワイヤハーネス５を挟むように対をなして設けられている。対をなす凸部３各々には、結束バンド通し孔４が設けられている。【選択図】図２
2014236656.tif 000002
【特許請求の範囲】
【請求項１】
合成樹脂製のケースを有し、ワイヤハーネスが前記ケース内を通り抜ける電気接続箱において、
前記ケースの内側に、前記ワイヤハーネスの配索経路を規制するための凸部が設けられている
ことを特徴とする電気接続箱。
【請求項２】
前記凸部は、前記ワイヤハーネスを挟むように対をなして設けられている
ことを特徴とする請求項１に記載の電気接続箱。
【請求項３】
対をなす前記凸部各々に、結束バンド通し孔が設けられている
ことを特徴とする請求項２に記載の電気接続箱。
【請求項４】
前記ケースが、本体ケースと、該本体ケースの下面側に組み付けられるロアカバーと、を有し、
前記ロアカバーに前記凸部が設けられている
ことを特徴とする請求項１ないし請求項３のうちいずれか１項に記載の電気接続箱。
【発明の詳細な説明】
【技術分野】
【０００１】
本発明は、自動車に搭載される電気接続箱に関するものである。
【背景技術】
【０００２】
自動車に搭載される電気接続箱には様々な構造のものがあるが、例えば、特許文献１に開示されているように、ワイヤハーネスがケース内を通り抜ける電気接続箱がある。また、図６は、この種の電気接続箱のケースを構成するロアカバーの斜視図である。
【０００３】
図６に示すロアカバー３０２は、リレー、ヒューズ、バスバ等の複数の電子部品が収容される本体ケースの下面側に組み付けられる。このロアカバー３０２は、合成樹脂により浅い箱状に形成されており、周壁の二箇所にワイヤハーネス３０５を通すための切り欠き部３２２が設けられている。
【０００４】
ワイヤハーネス３０５は、複数の電線が束ねられたものであり、前記電線の端部には端子金具やコネクタが取り付けられている。このようなワイヤハーネス３０５は、上記本体ケースとロアカバー３０２との間、すなわち上記切り欠き部３２２を通される。なお、ワイヤハーネス３０５は、本体ケースとロアカバー３０２との間を通り抜けているだけであり、本体ケースに収容された電子部品とは電気的に接続されていない。
【先行技術文献】
【特許文献】
【０００５】
【特許文献１】特開２０１１−１２５１７３号公報
【発明の概要】
【発明が解決しようとする課題】
【０００６】
しかしながら、上記ロアカバー３０２を備えた電気接続箱においては、自動車走行時の振動により、ワイヤハーネス３０５が電気接続箱内でその位置を激しく変化させ（以下「あばれる」という。）、該ワイヤハーネス３０５が擦れてしまうという問題があった。さらに、ロアカバー３０２の強度が低いという問題があった。
【０００７】
したがって、本発明は、ワイヤハーネスがケース内を通り抜ける電気接続箱において、ワイヤハーネスがあばれることを防止でき、かつ、ケースの強度アップを図ることができる電気接続箱を提供することを目的とする。
【課題を解決するための手段】
【０００８】
請求項１に記載された発明は、合成樹脂製のケースを有し、ワイヤハーネスが前記ケース内を通り抜ける電気接続箱において、前記ケースの内側に、前記ワイヤハーネスの配索経路を規制するための凸部が設けられていることを特徴とする電気接続箱である。
【０００９】
請求項２に記載された発明は、請求項１に記載された発明において、前記凸部は、前記ワイヤハーネスを挟むように対をなして設けられていることを特徴とするものである。
【００１０】
請求項３に記載された発明は、請求項２に記載された発明において、対をなす前記凸部各々に、結束バンド通し孔が設けられていることを特徴とするものである。
【００１１】
請求項４に記載された発明は、請求項１ないし請求項３のうちいずれか１項に記載された発明において、前記ケースが、本体ケースと、該本体ケースの下面側に組み付けられるロアカバーと、を有し、前記ロアカバーに前記凸部が設けられていることを特徴とするものである。
【発明の効果】
【００１２】
請求項１，２，４に記載された発明によれば、前記ケースの内側に、前記ワイヤハーネスの配索経路を規制するための凸部が設けられているので、ワイヤハーネスがあばれることを防止でき、かつ、ケースの強度アップを図ることができる電気接続箱を提供することができる。
【００１３】
請求項３に記載された発明によれば、対をなす前記凸部各々に、結束バンド通し孔が設けられているので、この結束バンド通し孔に結束バンドを通し、該結束バンドでワイヤハーネスをケースに固定することにより、ワイヤハーネスがあばれることを確実に防止できる。
【図面の簡単な説明】
【００１４】
【図１】本発明の第１の実施形態にかかる電気接続箱のケースを構成するロアカバーの斜視図である。
【図２】図１に示されたロアカバーの平面図である。
【図３】図２に示されたロアカバーにワイヤハーネスが固定された状態を示す図である。
【図４】本発明の第２の実施形態にかかる電気接続箱のケースを構成するロアカバーの平面図である。
【図５】図４に示されたロアカバーにワイヤハーネスが固定された状態を示す図である。
【図６】従来の電気接続箱のケースを構成するロアカバーの斜視図である。
【発明を実施するための形態】
【００１５】
（第１の実施形態）
本発明の第１の実施形態にかかる「電気接続箱」を図１〜３を参照して説明する。この「電気接続箱」は、自動車に搭載されて主に電源分配を行うものであり、リレー、ヒューズ、バスバ等の複数の電子部品と、これら電子部品が収容されるケースと、を備えている。また、この「電気接続箱」は、ワイヤハーネス５がケース内を通り抜ける構成である。なお、ワイヤハーネス５は、ケース内を通り抜けているだけであり、当該ケースに収容された電子部品とは電気的に接続されていない。
【００１６】
上記ケースは、前記電子部品が収容される合成樹脂製の本体ケースと、本体ケースの上面側に組み付けられる合成樹脂製のアッパカバーと、本体ケースの下面側に組み付けられる合成樹脂製のロアカバー２と、で構成されている。
【００１７】
上記ロアカバー２は、図１，２に示すように、底壁２０及び周壁２１を有する浅い箱状に形成されている。周壁２１の二箇所にはワイヤハーネス５を通すための切り欠き部２２が設けられている。また、各切り欠き部２２の内縁からロアカバー２の外側に向かって半円筒部２３が延設されている。周壁２１の上端部には、上記本体ケースに係止するロック２４が設けられている。
【００１８】
また、ロアカバー２の内側には、ワイヤハーネス５の配索経路を規制するための凸部３が複数設けられている。これら凸部３は、ワイヤハーネス５を挟むように対をなして設けられている。また、ロアカバー２を外側から見ると、各凸部３の裏側は凹部となっている。さらに、対をなす凸部３各々には、結束バンド通し孔４が設けられている。結束バンド通し孔４は、図３に示すように、ワイヤハーネス５を固定するための結束バンド６を通す孔である。
【００１９】
ワイヤハーネス５は、図３に示すように、一方の切り欠き部２２からロアカバー２の内側に通され、ロアカバー２の内側において対を成す凸部３間に位置付けられることにより配索経路が規制され、他方の切り欠き部２２からロアカバー２の外側に引き出される。また、配索経路が規制されたワイヤハーネス５は、複数の結束バンド６によってロアカバー２に固定される。本実施形態では、ロアカバー２の内側においてワイヤハーネス５がＳ字状に配索されている。
【００２０】
このようにワイヤハーネス５が固定されたロアカバー２が上記本体ケースに組み付けられることで、ワイヤハーネス５がケース内を通り抜ける格好となる。
【００２１】
上述した電気接続箱によれば、ロアカバー２の内側に凸部３を設けることにより、ケース内を通されるワイヤハーネス５の配索経路を規制することができ、同時に、ロアカバー２の強度をアップさせることができる。配索経路が規制されたワイヤハーネス５は、自動車走行時の振動等によりあばれることがなくなるので、ケースに擦れて傷付くことがない。
【００２２】
また、ワイヤハーネス５を結束バンド６でロアカバー２に固定することは本発明において必須ではないが、結束バンド６を用いることにより、ワイヤハーネス５があばれることを確実に防止できる。なお、本実施形態では、結束バンド６を用いることにより、ワイヤハーネス５の上下方向（ロアカバー２と本体ケースとの対向方向）の移動を確実に抑えることができる。
【００２３】
（第２の実施形態）
本発明の第２の実施形態にかかる「電気接続箱」を図４，５を参照して説明する。また、図４，５において、前述した第１の実施形態と同一構成部分には同一符号を付して説明を省略する。
【００２４】
第１の実施形態で説明したロアカバー２は、凸部３がワイヤハーネス５を挟むように対をなして設けられていたが、本実施形態のロアカバー１０２は、図４，５に示すように、ワイヤハーネス５の配索経路を規制するための凸部１０３が複数設けられ、これら複数の凸部１０３が千鳥状に設けられている。
【００２５】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２６】
２，１０２  ロアカバー
３，１０３  凸部
４  バンド通し孔
５  ワイヤハーネス
６  結束バンド
【図１】
2014236656.tif 000003
【図２】
2014236656.tif 000004
【図３】
2014236656.tif 000005
【図４】
2014236656.tif 000006
【図５】
2014236656.tif 000007
【図６】
2014236656.tif 000008